(57)【特許請求の範囲】
【請求項１】
多目的多重モータ（１）の中心に設けた多重第一モータ（93）は、コア部の電磁力面を２から３０箇所を設けたケイ素鋼製の第一多重モータ軸部プレート（44）を２から５０枚重ねた第一コイル部軸（40）の電磁力面の側面にコイルを巻回した第一コイル部（79）を備えた部分と、中心軸に嵌着する第一シャフト（106）か、第一シャフト管（107）を備えた部分と、第一ローターコミテータ片（20・74・75）を2から３０備えた第一コミテータ（102）を設けた部分からなる第一ローター部と、第一ローターマグネット部（39・141・90・140）を２から３０設けた部分と、すべての第一ローターマグネット部（39・90）の外側の面を面心立方晶のステンレスかアルミか真鍮かプラスチック製の第一モーターケース（82）の第一マグネット口（97）から露出させ設けた部品と、第一ローターマグネット部（39・141・90・140）固定用の第一ローター用U字ピン（38）を備えた部分とからなる第一固定部と、
第一固定部の中心に回転可能に第一ローター部を内蔵した多重第一モータ（93）部と、多重第一モータ（93）の外周に設けた多重第二モータ（94）は、ケイ素鋼製でコア部の電磁力面を２から３０箇所の内側コイル溝（137）と外側コイル溝（138）を設けた第二多重モータ軸部プレート（45）を２から５０枚重ねた第二コイル部軸（43）の内外の電磁力面の側面である内側コイル溝（137）同士と、第二多重モータ軸部プレート内外保持部（139）通り外側コイル溝（138）同士に連続してコイルを巻回した第二コイル部（70）設けた部分と、第二ローターコミテータ片（21・77・78）を2から３０箇所を備えた第二コミテータ（103）を設けた部分からなる第二ローター部と、第二ローターマグネット部（42・143・89・142）を２から３０設けた部分と、第二ローターマグネット部（42・143・89・142）固定用の第二ローター用U字ピン（41）を備えた部分と、第二シャフト管に第二シャフト（109）を嵌着した物か、または多重第一モータ（93）を回動可能に第二コイル部（70）の内側に内装して設けた部分と、すべての第二ローターマグネット部（42・89）の外側の面を面心立方晶のステンレスかアルミか真鍮かプラスチック製の第二モーターケース（83）の第二マグネット口（98）から露出させ設けた部品からなる第二固定部と、第二固定部の中心に回転可能に第二ローター部を内蔵した多重第二モータ（94）部と、上記多重第二モータ（94）を大きくした同じ構造の多重第三モータの中心口に多重第二モータ（94）を回転可能に嵌着し、さらに幾重にも繰り返して多重第四モータ・多重第五モータという具合に多重にも設けた部分と、リング状の側面外周に軌道輪を備えた第一ローター部固定用の多重ベアリング1層（146）と、これの外周に回動可能な様に適宜に隙間を持たせて格納するリングの内側と外側側面周囲に軌道輪を備えた第一固定部固定用の多重ベアリング２層（147）と、これの外周に回動可能な様に適宜に隙間を持たせて格納するリングの内側と外側側面周囲に軌道輪を備えた第二ローター部固定用の多重ベアリング3層（148）と、これの外周に回動可能な様に適宜に隙間を持たせて格納するリングの内側と外側側面周囲に軌道輪を備えた第二固定部固定用の多重ベアリング4層（149）とで、それぞれの多重ベアリングの内外の軌道輪に多重ベアリングボール（145）を適宜の数だけ周設した多重ベアリング（144）部分からなる構造で、稼働時には大きく分けて４つのモードがあり、シングル回転モードは第一ローター部・第一固定部・第二ローター部・第二固定部の何れかをローターとし、それ以外を本体に固定して使用するモードと、ダブル回転モードは、第一固定部・第二固定部を本体に固定して第一ローター部と第二ローター部をローターとするか、第一ローター部と第二ローター部を本体に固定して第一固定部・第二固定部をローターとしてそれぞれ別の方向や同じ方向に回転させて使用するモードと、トリプルパワーモードは、2種類あって第二固定部を本体に固定した場合、回転稼動中の多重第一モータ（93）本体を第一モーターケース（82）から露出している第一ローターマグネット部（39・90）と多重第二モータ（94）の第二コイル部（70）内側磁力面の力で回動稼動させ、さらに第二コイル部（70）の外側磁力面の力と第二ローターマグネット部（42・89）の力で第二コイル部（70）自体が回転稼動させた場合と、またもう一つは第一ローター部を本体に固定した場合、多重第一モータ（93）が回転稼動し、多重第二モータ（94）の第二コイル部（70）内側磁力面の力と第一モーターケース（82）から露出している第一ローターマグネット部（39・90）の磁力で第二コイル部（70）が回転稼動し、さらに外側磁力面の力と第二ローターマグネット部（42・89）の磁力で第二固定部が回転して使用し、シングルパワーモードは多目的多重モータの横断面図から見て第一固定部の第一ローターマグネット部の例えば右が第一ローターマグネット部外面S極（90）で、左が第一ローターマグネット部外面N極（39）の場合、第二固定部の第二ローターマグネット部の右が内面N極（42）で、左が第二ローターマグネット部内面S極（89）になるように順に平行に並べてミキサーや機械製品本体に固定した部分、またこの部分の構造を言い換えると左側の第二ローターマグネット部内面N極と、  左側の第一ローターマグネット部外面S極と、  右側の第一ローターマグネット部外面N極と、  第二ローターマグネット部の右が内面S極とが、一直線上に各マグネットの磁性が左側S右側Nなるように並べてミキサーや機械製品本体に固定した部分と、第一ローター部は稼動に関係なく嵌着されている状態で、第二ローター部にミキサーの歯（14や15）や機械部品に固定して使用するもので、稼動行程は外側左に第二ローターマグネット部内面S極（89）で、外側右に第二ローターマグネット部内面N極（42）で、外側上の方である第二コイル部（70）の磁力面同士がS極で、内側左に第一ローターマグネット部外面N極（39）で、内側右に第一ローターマグネット部外面S極（90）で、内側上の方である第二コイル部（70）の磁力面同士がN極で、外側下の方である上記第二コイル部（70）向かい外側の第二コイル部（70）の磁力面がN極で、内側下の方である上記第二コイル部（70）向かい内側の第二コイル部（70）の磁力面がS極になり稼動し、3分の１回転して、各第二コイル部（70）が回転方向に１２０°移動し、上記の位置の各第二コイル部（70）の極性に変わり三分の１移動する工程を3回で1回転を繰り返して回転を作り、また電流を逆に流せば極性が入れ替わることで逆の回転を作り稼働また上記の稼動行程を簡単に説明すると、例えば２つの第二コイル部（70）の外側上がＳ極で、２つの第二コイル部（70）の内側上がＮ極で、1つの第二コイル部（70）の内側下がＳ極で、1つの第二コイル部（70）の外側下がＮ極で三分の一回動し、各第二コイル部（70）が回転方向に１２０°移動し、上記の位置の各第二コイル部（70）の極性に変わり三分の１移動する工程を3回で1回転を繰り返して回転を作るこれら全ての構造と機能を特徴とする多目的多重モータ。
【発明の詳細な説明】
【技術分野】
【０００１】
本考案は、発動機や機械部品から工具や家電製品に至る部品に使用する多目的多重モータ
に関するものである。
【背景技術】
【０００２】
従来のモータはシャフトの外側のコア部にコイルを３箇所巻き付け、シャフトの端付近に
コミテータ片3箇所にそれぞれ接続し、本体モーターケースから伸びるブラシに接触通電
し、順番に3箇所の電磁力面が磁気を発生させそれを両サイドから半分包み込むように筒
を4等分した形状の本体モーターケース固定のマグネット部などからなるモーターやマグ
ネット部が回転するファン・回転数をコントロールするステッピングモーターなどがある。
【０００３】
介護現場での問題の一つが食事で、通常の食事の人もいれば、咀嚼の弱い方や、流動食の
方も居られ、これを解決するためには硬い食材を加熱や、高トルクのミキサーで調理する
事で対応し、且つ素早く次の料理に移れるように洗いすい構造が求められる。
【先行技術文献】
【特許文献】
【０００４】
【特許文献１】なし
【非特許文献】
【０００５】
【非特許文献１】なし
【発明の概要】
【発明が解決しようとする課題】
【０００６】
だが、上記のものでは単純な左右どちらかの回転の方向と速度などのコントロールしかできない。
【０００７】
そこで、従来の機能はそのままに回転の中心を同じに別々の方向に回転をさせたり、同じ方向に回転することでパワーを上げたりすることで安全面や利便性の向上を目指す。
【課題を解決するための手段】
【０００８】
多目的多重モータ（１）の中心に設けた多重第一モータ（93）は、コア部の電磁力面を２から３０箇所を設けたケイ素鋼製の第一多重モータ軸部プレート（44）を２から５０枚重ねた第一コイル部軸（40）の電磁力面の側面にコイルを巻回した第一コイル部（79）を備えた部分と、中心軸に嵌着する第一シャフト（106）か、第一シャフト管（107）を備えた部分と、第一ローターコミテータ片（20・74・75）を2から３０備えた第一コミテータ（102）を設けた部分からなる第一ローター部と、第一ローターマグネット部（39・141・90・140）を２から３０設けた部分と、すべての第一ローターマグネット部（39・90）の外側の面を面心立方晶のステンレスかアルミか真鍮かプラスチック製の第一モーターケース（82）の第一マグネット口（97）から露出させ設けた部品と、第一ローターマグネット部（39・141・90・140）固定用の第一ローター用U字ピン（38）を備えた部分とからなる第一固定部と、第一固定部の中心に回転可能に第一ローター部を内蔵した多重第一モータ（93）部と、多重第一モータ（93）の外周に設けた多重第二モータ（94）は、ケイ素鋼製でコア部の電磁力面を２から３０箇所の内側コイル溝（137）と外側コイル溝（138）を設けた第二多重モータ軸部プレート（45）を２から５０枚重ねた第二コイル部軸（43）の内外の電磁力面の側面である内側コイル溝（137）同士と、第二多重モータ軸部プレート内外保持部（139）通り外側コイル溝（138）同士に連続してコイルを巻回した第二コイル部（70）設けた部分と、第二ローターコミテータ片（21・77・78）を2から３０箇所を備えた第二コミテータ（103）を設けた部分からなる第二ローター部と、第二ローターマグネット部（42・143・89・142）を２から３０設けた部分と、第二ローターマグネット部（42・143・89・142）固定用の第二ローター用U字ピン（41）を備えた部分と、第二シャフト管に第二シャフト（109）を嵌着した物か、または多重第一モータ（93）を回動可能に第二コイル部（70）の内側に内装して設けた部分と、すべての第二ローターマグネット部（42・89）の外側の面を面心立方晶のステンレスかアルミか真鍮かプラスチック製の第二モーターケース（83）の第二マグネット口（98）から露出させ設けた部品からなる第二固定部と、第二固定部の中心に回転可能に第二ローター部を内蔵した多重第二モータ（94）部と、上記多重第二モータ（94）を大きくした同じ構造の多重第三モータの中心口に多重第二モータ（94）を回転可能に嵌着し、さらに幾重にも繰り返して多重第四モータ・多重第五モータという具合に多重にも設けた部分と、リング状の側面外周に軌道輪を備えた第一ローター部固定用の多重ベアリング1層（146）と、これの外周に回動可能な様に適宜に隙間を持たせて格納するリングの内側と外側側面周囲に軌道輪を備えた第一固定部固定用の多重ベアリング２層（147）と、これの外周に回動可能な様に適宜に隙間を持たせて格納するリングの内側と外側側面周囲に軌道輪を備えた第二ローター部固定用の多重ベアリング3層（148）と、これの外周に回動可能な様に適宜に隙間を持たせて格納するリングの内側と外側側面周囲に軌道輪を備えた第二固定部固定用の多重ベアリング4層（149）とで、それぞれの多重ベアリングの内外の軌道輪に多重ベアリングボール（145）を適��の数だけ周設した多重ベアリング（144）部分からなる構造。
【０００９】
使用例としてミキサー台座（3）にミキサー電源ユニット（16）を内蔵し、そこに立設した移動蓋用バー（9）に上下移動可能に契合した多目的多重モータ（1）内蔵の移動開閉蓋（7）で、底がフラットの金属製・ガラス・陶器・プラスチックなど全ての素材で製作可能なフラットミキサーカップ（6）を閉じて使う構造。
【００１０】
稼働時には大きく分けて４つのモードがあり、シングル回転モードは第一ローター部・第一固定部・第二ローター部・第二固定部の何れかをローターとし、それ以外を本体に固定して使用するモードと、ダブル回転モードは、第一固定部・第二固定部を本体に固定して第一ローター部と第二ローター部をローターとするか、第一ローター部と第二ローター部を本体に固定して第一固定部・第二固定部をローターとしてそれぞれ別の方向や同じ方向に回転させて使用するモードと、トリプルパワーモードは、2種類あって第二固定部を本体に固定した場合、回転稼動中の多重第一モータ（93）本体を第一モーターケース（82）から露出している第一ローターマグネット部（39・90）と多重第二モータ（94）の第二コイル部（70）内側磁力面の力で回動稼動させ、さらに第二コイル部（70）の外側磁力面の力と第二ローターマグネット部（42・89）の力で第二コイル部（70）自体が回転稼動させた場合と、またもう一つは第一ローター部を本体に固定した場合、多重第一モータ（93）が回転稼動し、多重第二モータ（94）の第二コイル部（70）内側磁力面の力と第一モーターケース（82）から露出している第一ローターマグネット部（39・90）の磁力で第二コイル部（70）が回転稼動し、さらに外側磁力面の力と第二ローターマグネット部（42・89）の磁力で第二固定部が回転して使用し、シングルパワーモードは多目的多重モータの横断面図から見て第一固定部の第一ローターマグネット部の例えば右が第一ローターマグネット部外面S極（90）で、左が第一ローターマグネット部外面N極（39）の場合、第二固定部の第二ローターマグネット部の右が内面N極（42）で、左が第二ローターマグネット部内面S極（89）になるように順に平行に並べてミキサーや機械製品本体に固定した部分、またこの部分の構造を言い換えると上記とは逆に極性を変えて右側の第一ローターマグネット部外面N極で、左が第一ローターマグネット部外面S極の場合、第二固定部の第二ローターマグネット部の右が内面S極で、左が第二ローターマグネット部内面Nの順に平行に並べてミキサーや機械製品本体に固定した部分と、第一ローター部は稼動に関係なく嵌着されている状態で、第二ローター部にミキサーの歯（14や15）や機械部品に固定して使用するもので、稼動行程は外側左に第二ローターマグネット部内面S極（89）で、外側右に第二ローターマグネット部内面N極（42）で、外側上の方である２つの第二コイル部（70）の磁力面同士がS極で、内側左に第一ローターマグネット部外面N極（39）で、内側右に第一ローターマグネット部外面S極（90）で、内側上の方である２つの第二コイル部（70）の磁力面同士がN極で、外側下の方である上記２つの第二コイル部（70）反対側外側の１つの第二コイル部（70）の磁力面がN極で、内側下の方である上記２つの第二コイル部（70）反対側内側の１つの第二コイル部（70）の磁力面がS極になり、3分の１回転して回転方向に次のコイル部が3分の１ずれて、外側下の方と内側下の方の磁力面を持つ第二コイル部（70）が回転方向に中心軸に対し１２０°上側に移動し、上側で回転方向側の第二コイル部（70）が１２０°下に移動し、もう一方の上側の第二コイル部（70）が反対側よりの上に移動し、第二コイル部（70）が入れ替わって上記の位���の磁極になって、外側左に第二ローターマグネット部内面S極（89）で、外側右に第二ローターマグネット部内面N極（42）で、外側上の方である２つの第二コイル部（70）の磁力面同士がS極で、内側左に第一ローターマグネット部外面N極（39）で、内側右に第一ローターマグネット部外面S極（90）で、内側上の方である２つの第二コイル部（70）の磁力面同士がN極で、外側下の方である上記２つの第二コイル部（70）反対側外側の１つの第二コイル部（70）の磁力面がN極で、内側下の方である上記２つの第二コイル部（70）反対側内側の１つの第二コイル部（70）の磁力面がS極になり、3分の１回転して回転方向に次のコイル部が3分の１ずれて、外側下の方と内側下の方の磁力面を持つ第二コイル部（70）が回転方向に中心軸に対し１２０°上側に移動し、上側で回転方向側の第二コイル部（70）が１２０°下に移動し、もう一方の上側の第二コイル部（70）が反対側よりの上に移動し、第二コイル部（70）が入れ替わって上記の位置の磁極になって、外側左に第二ローターマグネット部内面S極（89）で、外側右に第二ローターマグネット部内面N極（42）で、外側上の方である２つの第二コイル部（70）の磁力面同士がS極で、内側左に第一ローターマグネット部外面N極（39）で、内側右に第一ローターマグネット部外面S極（90）で、内側上の方である２つの第二コイル部（70）の磁力面同士がN極で、外側下の方である上記２つの第二コイル部（70）反対側外側の１つの第二コイル部（70）の磁力面がN極で、内側下の方である上記２つの第二コイル部（70）反対側内側の１つの第二コイル部（70）の磁力面がS極になり、3分の１回転して回転方向に次のコイル部が3分の１ずれて、外側下の方と内側下の方の磁力面を持つ第二コイル部（70）が回転方向に中心軸に対し１２０°上側に移動し、上側で回転方向側の第二コイル部（70）が１２０°下に移動し、もう一方の上側の第二コイル部（70）が反対側よりの上に移動し、第二コイル部（70）が入れ替わって上記の位置の磁極になって、回転方向に次のコイル部が3分の１ずれてを繰り返す事で回転を作り、また電流を逆に流せば極性が入れ替わることで左右の回転を作り稼働、また上記の稼動行程を簡単に説明すると、例えば２つの第二コイル部（70）の外側上がＳ極で、２つの第二コイル部（70）の内側上がＮ極で、1つの第二コイル部（70）の内側下がＳ極で、1つの第二コイル部（70）の外側下がＮ極で三分の一回動し、次に外側下だった1つの第二コイル部（70）が回転方向側の上側の２つの第二コイル部（70）側に１２０°移動し、上側の２つの第二コイル部（70）の回転方向側の第二コイル部（70）が下側の1つの第二コイル部（70）側に１２０°移動し、もう一方の上側の２つの第二コイル部（70）の片方が反対側上１２０°移動して、上側の２つの第二コイル部（70）の外側上がＳ極で、２つの第二コイル部（70）の内側上がＮ極で、下側の1つの第二コイル部（70）の内側下がＳ極で、下側の1つの第二コイル部（70）の外側下がＮ極で三分の一回動し、次に外側下だった1つの第二コイル部（70）が回転方向側の上側の２つの第二コイル部（70）側に１２０°移動し、上側の２つの第二コイル部（70）の回転方向側の第二コイル部（70）が下側の1つの第二コイル部（70）側に１２０°移動し、もう一方の上���の２つの第二コイル部（70）の片方が反対側上１２０°移動して、上側の２つの第二コイル部（70）の外側上がＳ極で、２つの第二コイル部（70）の内側上がＮ極で、下側の1つの第二コイル部（70）の内側下がＳ極で、下側の1つの第二コイル部（70）の外側下がＮ極で三分の一回動し、次に外側下だった1つの第二コイル部（70）が回転方向側の上側の２つの第二コイル部（70）側に１２０°移動し、上側の２つの第二コイル部（70）の回転方向側の第二コイル部（70）が下側の1つの第二コイル部（70）側に１２０°移動し、もう一方の上側の２つの第二コイル部（70）の片方が反対側上１２０°移動して、上側の２つの第二コイル部（70）の外側上がＳ極で、２つの第二コイル部（70）の内側上がＮ極で、下側の1つの第二コイル部（70）の内側下がＳ極で、下側の1つの第二コイル部（70）の外側下がＮ極で三分の一回動し、これら3工程で1回転を繰り返して回転を作るこれら全ての構造と機能を特徴とする多目的多重モータ。
【発明の効果】
【００１１】
本発明は以上のような構造なので、別々の回転方向に稼働させたり、回転を同方向にしてパワーを持たせたり、または内側の磁石部と外側の磁石部の間に内外磁力面を持たせた
第二ローター部によるパワーを持たせたりする事で用途が広がる。
【図面の簡単な説明】
【００１２】
【図１】多重モータ内臓ミキサー正面・背面・平面・下面図
【図２】多重モータ内臓ミキサー左右側面図
【図３】多重モータ内臓ミキサー断面図
【図４】多重モータ内臓ミキサー使用例図
【図５】多重モータのコア上部図・断面図
【図６】多重モータの上部図・断面図
【図７】多重モータのコミテータ上部図
【図８】多重モータのモータ軸部プレート図
【図９】第二多重モータの分解斜視図
【図１０】第一多重モータの分解斜視図
【図１１】多重モータの配線図
【図１２】回転セッティングプレート図
【図１３】ミキサー２枚刃図
【図１４】第二シャフト管斜視図
【図１５】多重ベアリング平面と断面図
【図１６】多重モータ側面と断面図
【図１７】多重モータ平面図と回転セッティングプレート口受け部側面と断面図
【発明を実施するための形態】
【００１３】
以下、実施の形態を、図5から12・14・15・16・17に示した本発明と、一実施例に基づいて図1から4・13で説明する。
【００１４】
図8中央右図のケイ素鋼製第一多重モータ軸部プレート（44）は、円盤プレートの中央にシャフト口（91）と円周等間隔に２から３０箇所のコイル用の溝（133）を設けた部分と、その間の外周よりに第一コア固定口（72）を設けた部品。
【００１５】
図8左下側図のケイ素鋼製第二多重モータ軸部プレート（45）は、大きい円盤プレートの中央に第一モータ孔（92）と円周等間隔に２から３０箇所の内側コイル溝（137）と外側コイル溝（138）を設けた部分と、その間の外周よりに第二コア固定口（99）を設けた部品。
【００１６】
図１０の面心立方晶のステンレスかアルミか真鍮かプラスチック製第一モーターケース（82）は、第一ローターマグネット部（39・141・90・140）の磁束の窓である一回り小さい四角い穴の開いた第一マグネット口（９７）部を設けた部分と、四隅にサイド固定用の第一モーターケース反し（95）部を設けた部分と、上下の固定用の返しと螺子穴を設けた第一モーターケース反し螺子穴付（104）部分と、第一モーターケース（82）の上下外周で、第一モーターケース反し螺子穴付（104）同士の間に第一マグネット固定口（100）を設けた部分からなる。
【００１７】
図９の面心立方晶のステンレスかアルミか真鍮かプラスチック製第二モーターケース（83）は上記の第一モーターケース（82）大きくした構造で、まずは第二ローターマグネット部（42・143・89・142）の磁束の窓である一回り小さい四角い穴の開いた第二マグネット口（98）部を設けた部分と、四隅にサイド固定用の第二モーターケース反し（96）部を設けた部分と、上下の固定用の返しと螺子穴を設けた第二モーターケース反し螺子穴付（105）部分と、第二モーターケース（83）の上下外周で、第二モーターケース反し螺子穴付（105）同士の間に第二マグネット固定口（101）を設けた部分からなる。
【００１８】
図１０の第一多重モータ（93）の構造は第一多重モータ軸部プレート（４４）を１から５０枚重ねてできた第一コイル部軸（４０）にコイルを巻回して出来た第一コイル部（７９）で、これの両サイドに円筒形の４分の１から４０分の１サイズの磁石である第一ローターマグネット部（39・141・90・140）を挟むように、第一モーターケース（82）の第一マグネット口（９７）と第一ローターマグネット部（39・141・90・140）を合わせて格納して、第一ローターマグネット部（39・141・90・140）上下部固定の第一モーターケース反し螺子穴付（104）を備えた部分と、左右固定の第一モーターケース反し（95）を備えた部分と、前後固定の第一ローターマグネット部（39・141・90・140）より一回り小さい第一マグネット口（９７）の内側周囲と第一ローターマグネット部（39・141・90・140）の側面同士に圧着した第一ローター用U字ピン（３８）を備えた部分と、ローターの中心に第一シャフト（106）または第一シャフト管（107）を嵌着して設けた部分と、第一コイル部（79）下のシャフト口の周囲に第一結束コミテータ管（116）を溶着または嵌着して設けた部分と、上記の各部分を組上げたあと最後に第一モーターケース（82）の下部内周面に第一コミテータ（102）を嵌着したた部分と、回転セッティングプレート第一コア（60）と６１回転セッティングプレート第一マグネット部か、または多重ベアリング１層（146）と多重ベアリング２層（147）を螺着して上下のモーターケースを閉じた構造。
【００１９】
図９の第二多重モータ（9４）の構造は第二多重モータ軸部プレート（45）を１から５０枚重ねてできた第二コイル部軸（43）の各外周の外側コイル溝（138）同士にコイルを巻回してから第二多重モータ軸部プレート内外保持部（139）を通り内周の内側コイル溝（137）同士にコイルを巻回する事で連続して出来た第二コイル部（70）部分で、これの両サイドに大きい円筒形の４分の１から４０分の１サイズの磁石である第二ローターマグネット部（42・143・89・142）を挟むように、第二モーターケース（83）の第二マグネット口（９8）と第二ローターマグネット部（42・143・89・142）を合わせて格納して、第二ローターマグネット部（42・143・89・142）上下部固定の第二モーターケース反し螺子穴付（105）を備えた部分と、左右固定の第二モーターケース反し（96）を備えた部分と、前後固定の第二ローターマグネット部（42・143・89・142）より一回り小さい第二マグネット口（98）の内側周囲と第二ローターマグネット部（42・143・89・142）の側面同士に圧着した第二ローター用U字ピン（41）を備えた部分と、ローターの中心口に第一多重モータ（93）を回動できるように内装するか、または第一モーターケース（82）の第一マグネット口（９７）に第一ローターマグネット部（39・141・90・140）とゴム製ストッパー（134）を嵌着した第二シャフト管（108）を回動できるように内装して設けた部分と、第二コイル部（70）下部の第一モータ孔（92）の周囲に第二結束コミテータ管（117）を溶着又は圧着した部分と、上記の各部分を組上げたあと最後に第二モーターケース（83）の下部内周面に第二コミテータ（103）を嵌着した部分と、回転セッティングプレート第二コア（62）と回転セッティングプレート第二マグネット部（63）か、または多重ベアリング３層（148）と多重ベアリング４層（149）を螺着して上下のモーターケースを閉じた構造。
【００２０】
図９の第二シャフト管（108）は、円筒形で上記第一ローターマグネット部（39・141・90・140）のマグネット口を設け、これより内側にマグネットの穴を除いた周囲に厚みのあるゴム製のストッパー（134）に第二シャフト（109）を圧着し、第二シャフト管（108）の外周面を第二コイル部（70）内周面に圧着して使用する。
【００２１】
図１０中央の第一コミテータ（102）は、第一モーターケース（82）に内接するリング状第一コミテータ部リング（112）の両サイドに第一ローターマグネット部（39・141・90・140）の底部を固定する溝であるマグネット固定溝（113）を設けた部分と、その両サイドに第一ブラシ板バネ固定部（50）を設けたものに渡設した第一ブラシ板バネ（51）の中央に第一ブラシ支持部（110）と、その先端に第一接触ヘッド部（18）を具備したものを両サイドから設けた構造。
【００２２】
図１０右上の第一結束コミテータ管（116）は、第一結束管（114）の周囲に第一ローターコミテータ片（20・74・75）同士に僅かな隙間（通電しない間隔）を設けて等間隔に周設した部分からなるもので、これの第一結束管（114）を第一コイル部（79）の下部シャフト口に溶着か圧着し、その穴に第一シャフト（106）または第一シャフト管（107）嵌着することで使用時の強度を上げる。
【００２３】
図９左下の第二コミテータ（103）は、第二モーターケース（83）に内接するリング状第２コミテータ部リング（118）の両サイドに第二ローターマグネット部（42・143・89・142）の底部を固定する溝であるマグネット固定溝（113）を設けた部分と、その両サイドに第二ブラシ板バネ固定部（68）を設けたものに渡設した第二ブラシ板バネ（69）の中央に第二ブラシ支持部（111）と、その先端に第二接触ヘッド部（19）を具備したものを両サイドから設けた構造。
【００２４】
図９右上の第二結束コミテータ管（117）は、第二結束管（115）の周囲に第二ローターコミテータ片（21・77・78）同士に僅かな隙間（通電しない間隔）を設けて等間隔に周設した部分からなるもので、これの第二結束管（115）を第二コイル部（70）の下部シャフト口に溶着か圧着し、その穴に第一多重モータ（93）か第一シャフト（106）を嵌着可能な第一シャフト管（107）の何れかを回動可能に内装しする。
【００２５】
第一ローター部は、第一コイル部（79）の下部に第一結束コミテータ管（116）を接続した部分と、多重ベアリング１層（146）の第一コア固定プレート口（64）と上部の第一コア固定口（72）に螺設した部分と、下部の第一コア固定口（72）にはコミテータ空間支柱（119）を介設して、もう一個の多重ベアリング１層（146）の第一コア固定プレート口（64）と螺設するか、又は多重ベアリング１層（146）の代わりに回転セッティングプレート第一コア（60）を螺設した構造。
【００２６】
第一固定部は、第一モーターケース（82）に第一ローターマグネット部（39・141・90・140）を内装し、第一ローター用U字ピン（38）と固定口と返しで固定した部分と、第一モーターケース（82）の下部に第一コミテータ（102）を嵌着した部分と、第一モーターケース（82）の上部に多重ベアリング２層（147）を置き、その第一マグネット部固定プレート口（65）に、第一モーターケース（82）の上部の第一マグネット固定口（100）と第一モーターケース反し螺子穴付（104）を螺設した部分と、第一モーターケース（82）の下部の第一マグネット固定口（100）と第一モーターケース反し螺子穴付（104）にはコミテータ空間支柱（119）を介設して、もう一個の多重ベアリング２層（147）の第一マグネット部固定プレート口（65）を螺設した部分か、又は上記上下部の多重ベアリング２層（147）の代わりに回転セッティングプレート第一マグネット部（61）を螺設した構造。
【００２７】
第二ローター部は、第二コイル部（70）の下部に第二結束コミテータ管（117）を接続した
部分と、多重ベアリング３層（148）の第二コア固定プレート口（66）と上部の第二コア固定口（99）に螺設した部分と、下部の第二コア固定口（99）にはコミテータ空間支柱（119）を介設して、もう一個の多重ベアリング３層（148）の第二コア固定プレート口（66）と螺設するか、又は多重ベアリング３層（148）の代わりに回転セッティングプレート第二コア（62）を螺設した構造。
【００２８】
第二固定部は、第二モーターケース（83）に第二ローターマグネット部（42・143・89・142）を内装し、第二ローター用U字ピン（41）と固定口と返しで固定した部分と、第二モーターケース（83）の下部に第二コミテータ（103）を嵌着した部分と、第二モーターケース（83）の上部に多重ベアリング4層（149）を置き、その第二マグネット部固定プレート口（67）に、第二モーターケース（83）の上部の第二マグネット固定口（101）と第二モーターケース反し螺子穴付（105）を螺設した部分と、第二モーターケース（83）の下部の第二マグネット固定口（101）と第二モーターケース反し螺子穴付（105）にはコミテータ空間支柱（119）を介設して、もう一個の多重ベアリング4層（149）の第二マグネット部固定プレート口（67）を螺設した部分か、又は上記上下部の多重ベアリング4層（149）の代わりに回転セッティングプレート第二マグネット部（63）を螺設した構造。
【００２９】
図１２の回転セッティングプレート（52）は円盤状のプレートの中央にシャフト孔（91）部分と、第一多重モータ軸部プレート（44）よりも小さい回転セッティングプレート第一コア（60）用の外円周のカットラインでカットして設けた部分と、シャフト孔（91）の周囲に本体に固定するための第一コア台座固定口（56）を３箇所から９箇所設けた部分と、その間に第一コア固定口（64）３箇所から９箇所設けた部分と、第一モーターケース（82）よりも小さい回転セッティングプレート第一マグネット部（61）用の外円周のカットラインでカットして設けた部分と、回転セッティングプレート第一マグネット部（61）の周囲に本体に固定するための第一マグネット部台座固定口（57）を４箇所から１２箇所設けた部分と、その間に第一マグネット部固定プレート口（65）４箇所から１２箇所設けた部分と、第二多重モータ軸部プレート（45）よりも小さい回転セッティングプレート第二コア（62）用の外円周のカットラインでカットして設けた部分と、回転セッティングプレート第二コア（62）の周囲に本体に固定するための第二コア台座固定口（58）を３箇所から９箇所設けた部分と、その間に第二コア固定プレート口（66）３箇所から９箇所設けた部分と、第二モーターケース（83）よりも小さい外周を持つ形状の回転セッティングプレート第二マグネット部（63）の周囲に本体に固定するための第二マグネット部台座固定口（59）を４箇所から１２箇所設けた部分と、その間に第二マグネット部固定プレート口（67）４箇所から１２箇所設けた部分からなる。
【００３０】
上記の多重第一モータ（93）の外側か、または第二シャフト管（108）を回転可能に第二コイル部の中央に内蔵し、さらに第二ローターマグネット部を挟む様に第二モーターケース（83）に内蔵て設けた多重第二モータ（94）、さらに多重第二モータ（94）の部分を大きくして、これを繰り返して、多重第三モータ・多重第四モータ部を幾重にも設けた物に、カバーの役目の各回転セッティングプレート（60・61・62・63）を閉じるように各固定プレート口（64・65・66・67）と上部の固定口（100・101）・反し螺子穴付（104・105）を螺設し、つぎに下部の固定口（100・101）・反し螺子穴付（104・105）はコミテータ空間支柱（119）を介設してもう一枚の各回転セッティングプレート（60・61・62・63）を閉じるように各固定プレート口（64・65・66・67）を螺設し、使用する時には回転しない部分にする第１ローター部か第２ローター部か第１固定部か第２固定部の何れかの本体に固定するための螺子穴各台座固定口（56・57・58・59）を設けた構造の多目的多重モータ（1）。
【００３１】
セッティングプレートのセッティングは以下の通り、回転セッティングプレート第一コア（60）の第一コア固定プレート口（64）と上部の第一コア固定口（72）を螺着し、もう一枚の回転セッティングプレート第一コア（60）の第一コア固定プレート口（64）とコミテータ空間支柱を介設して、下部の第一コア固定口（72）を螺着し、この部分がローターの時には上下部の第一コア台座固定口（56）はそのままで、本体に固定する時には上部または下部の第一コア台座固定口（56）とミキサーの移動開閉蓋（7）を螺着する。
【００３２】
多重ベアリング（144）のセッティングは以下の通り、多重ベアリング1層（146）の第一コア固定プレート口（64）と上部の第一コア固定口（72）を螺着し、もう一個の多重ベアリング1層（146）の第一コア固定プレート口（64）とコミテータ空間支柱を
介設して下部の第一コア固定口（72）を螺着し、この部分がローターの時には上下部の第一コア台座固定口（56）はそのままで、本体に固定する時には上部または下部の第一コア台座固定口（56）とミキサーの移動開閉蓋（7）を螺着する。
【００３３】
回転セッティングプレート第一マグネット部（61）の第一マグネット部固定プレート口（65）と上部の第一マグネット固定口（100）を螺着した部分と、第一マグネット部固定プレート口（65）と上部の第一モーターケース反し螺子穴付（104）を螺着し、もう一枚の回転セッティングプレート第一マグネット部（61）の第一マグネット部固定プレート口（65）とコミテータ空間支柱（119）を介設して、下部の第一マグネット固定口（100）と第一モーターケース反し螺子穴付（104）に螺着し、この部分がローターの時には上下部の第一マグネット部台座固定口（57）はそのままで、本体に固定する時には上部または下部の第一マグネット部台座固定口（57）とミキサーの移動開閉蓋（7）を螺着する。
【００３４】
多重ベアリング２層（147）の第一マグネット部固定プレート口（65）と上部の第一マグネット固定口（100）を螺着した部分と、第一マグネット部固定プレート口（65）と上部の第一モーターケース反し螺子穴付（104）を螺着し、もう一個の多重ベアリング２層（147）の第一マグネット部固定プレート口（65）とコミテータ空間支柱（119）を介設して下部の第一マグネット固定口（100）と第一モーターケース反し螺子穴付（104）に螺着し、この部分がローターの時には上下部の第一マグネット部台座固定口（57）はそのままで、本体に固定する時には上部または下部の第一マグネット部台座固定口（57）とミキサーの移動開閉蓋（7）を螺着する。
【００３５】
回転セッティングプレート第二コア（62）の第二コア固定プレート口（66）と上部の第二コア固定口（99）を螺着し、もう一枚の回転セッティングプレート第二コア（62）の第二コア固定プレート口（66）とコミテータ空間支柱を介設して下部の第二コア固定口（99）を螺着し、この部分がローターの時には上下部の第二コア台座固定口（58）はそのままで、本体に固定する時には上部または下部の第二コア台座固定口（58）とミキサーの移動開閉蓋（7）を螺着する。
【００３６】
多重ベアリング3層（148）の第二コア固定プレート口（66）と上部の第二コア固定口（99）を螺着し、もう一個の多重ベアリング3層（148）の第二コア固定プレート口（66）とコミテータ空間支柱を介設して下部の第二コア固定口（99）を螺着し、この部分がローターの時には上下部の第二コア台座固定口（58）はそのままで、本体に固定する時には上部または下部の第二コア台座固定口（58）とミキサーの移動開閉蓋（7）を螺着する。
【００３７】
回転セッティングプレート第二マグネット部（63）の第二マグネット部固定プレート口（67）と上部の第二マグネット固定口（101）を螺着した部分と、第二マグネット部固定プレート口（67）と第二モーターケース反し螺子穴付（105）を螺着し、もう一枚の回転セッティングプレート第二マグネット部（63）の第二マグネット部固定プレート口（67）とコミテータ空間支柱（119）を介設して下部の第二マグネット部固定プレート口（67）と第二モーターケース反し螺子穴付（105）に螺着し、この部分がローターの時には上下部の第二マグネット部台座固定口（59）はそのままで、本体に固定する時には上部または下部の第二マグネット部台座固定口（59）とミキサーの移動開閉蓋（7）を螺着する。
【００３８】
多重ベアリング4層（149）の第二マグネット部固定プレート口（67）と上部の第二マグネット固定口（101）を螺着した部分と、第二マグネット部固定プレート口（67）と第二モーターケース反し螺子穴付（105）を螺着し、もう一個の多重ベアリング4層（149）の第二マグネット部固定プレート口（67）とコミテータ空間支柱（119）を介設して下部の第二マグネット部固定プレート口（67）と第二モーターケース反し螺子穴付（105）に螺着し、この部分がローターの時には上下部の第二マグネット部台座固定口（59）はそのままで、本体に固定する時には上部または下部の第二マグネット部台座固定口（59）とミキサーの移動開閉蓋（7）を螺着する。
【００３９】
第一ローター部は、第一コイル部（79）の下部に第一結束コミテータ管（116）を固定したもの中央に第一シャフト（106）か第一シャフト管（107）を嵌着し、上部に回転セッティングプレート第一コア（60）を螺着し、下部にコミテータ空間支柱（119）を介設して回転セッティングプレート第一コア（60）に螺着した部分か、又は上記上下部の回転セッティングプレート第一コア（60）の代わりに多重ベアリング１層（146）を螺着した構造。
【００４０】
第一固定部は、第一モーターケース（82）に第一ローターマグネット部（39・141・90・140）を内装し、下部には第一コミテータ（102）を嵌着し、上部に回転セッティングプレート第一マグネット部（61）を螺着し、先ほどの第一コミテータ（102）よりさらに下にコミテータ空間支柱（119）を介設して回転セッティングプレート第一マグネット部（61）に螺着した部分か、又は上記上下部の回転セッティングプレート第一マグネット部（61）の代わりに多重ベアリング２層（147）を螺着した構造。
【００４１】
第二ローター部は、第二コイル部（70）の下部に第二結束コミテータ管（117）を固定したもの中央に第二シャフト管（108）か第二シャフト（109）を嵌着し、上部に回転セッティングプレート第二コア（62）を螺着し、下部にコミテータ空間支柱（119）を介設して回転セッティングプレート第二コア（62）に螺着した部分か、又は上記上下部の回転セッティングプレート第二コア（62）の代わりに多重ベアリング３層（148）を螺着した構造。
【００４２】
第二固定部は、第二モーターケース（83）に第二ローターマグネット部（42・143・89・142）を内装し、下部には第二コミテータ（103）を嵌着し、上部に回転セッティングプレート第二マグネット部（63）を螺着し、先ほどの第二コミテータ（103）よりさらに下にコミテータ空間支柱（119）を介設して回転セッティングプレート第二マグネット部（63）に螺着した部分か、又は上記上下部の回転セッティングプレート第二マグネット部（63）の代わりに多重ベアリング４層（149）を螺着した構造。
【００４３】
図１５右の回転セッティングプレート口受け部（150）は、穴の開いた円盤プレートの中央の穴の周囲から筒状の立設したものの中央の穴がローター部軸受け（152）で、外周面が固定部口受け（153）部分と、円盤プレートの周囲に適宜の数だけ設けた固定口（56・57・58・59）部分と、各セッティングプレート（60・61・62・63）に合わせて、第一ローター部用・第一固定部用・第二ローター部用・第二固定部用と大きさが適宜に大きくなる。
【００４４】
回転セッティングプレート口受け部（150）は上記セッティングプレート第一コア（60）のシャフトを第一ローター部用のローター部軸受け（152）で回転可能に保持する部分と、上記回転セッティングプレート第一マグネット部（61）中央の穴を第一固定部用の固定部口受け（153）で回転可能に保持する部分と、上記セッティングプレート第二コア（62）のシャフトを第二ローター部用のローター部軸受け（152）で回転可能に保持する部分と、上記回転セッティングプレート第二マグネット部（63）中央の穴を第二固定部用の固定部口受け（153）で回転可能に保持する部分と、それぞれの固定口（56・57・58・59）を台座に螺着する構造。
【００４５】
多重ベアリング（144）の中心のリングで側面外周に軌道輪を備え、第一コイル部（79）より適宜に大きい第一ローター部固定用の多重ベアリング1層（146）設けた部分と、これの周囲に多重ベアリングボール（145）を並べ、その外側を覆うように多重ベアリング２層（147）のリング状の内側軌道輪を摺動可能に内装した部分を備え、さらに第一固定部と平面の大きさが同じ多重ベアリング２層（147）の側面外周に軌道輪を備え、これの周囲に多重ベアリングボール（145）を並べ、その外側を覆うように多重ベアリング3層（148）のリング状の内側軌道輪を摺動可能に内装した部分を備え、さらに第二ローター部と平面の大きさが同じ多重ベアリング3層（148）の側面外周に軌道輪を備え、これの周囲に多重ベアリングボール（145）を並べ、その外側を覆うように多重ベアリング4層（149）のリング状の内側軌道輪を摺動可能に内装した部分を備え、さらに第二固定部と平面の大きさが同じ多重ベアリング4層（149）の側面外周に軌道輪を備えた、これら全ての構造と機能を特徴とする多重ベアリング（144）。
【００４６】
多目的多重モータの使用例としてはそれぞれの４つの回転モードがあり、シングル回転モードと、ダブル回転モードと、シングルパワーモードと、トリプルパワーモードがある。
【００４７】
シングル回転モードは第一ローター部・第一固定部・第二ローター部・第二固定部の何れかをローターとし、それ以外を本体に固定して使用する。
【００４８】
ダブル回転モードは、第一固定部・第二固定部を本体に固定して第一ローター部と第二ローター部をローターとするか、第一ローター部と第二ローター部を本体に固定して第一固定部・第二固定部をローターとしてそれぞれ別の方向に回転させるか、同じ方向に回転させて使用する。
【００４９】
トリプルパワーモードは、2種類あって第二固定部を本体に固定した場合、回転稼動中の多重第一モータ（93）本体を多重第二モータ（94）の第二コイル部（70）内側磁力面の力で回転稼動させ、さらに第二コイル部（70）の外側磁力面の力で第二コイル部（70）自体が回転して使用でき、またもう一種類は第一ローター部を本体に固定した場合、多重第一モータ（93）が回転稼動し、多重第二モータ（94）の第二コイル部（70）内側磁力面の力で第二コイル部（70）が回転稼動し、さらに外側磁力面の力で第二固定部が回転して使用できる。
【００５０】
シングルパワーモードは第一固定部の第一ローターマグネット部右側が例えば第一ローターマグネット部外側S極（90）で、左側が第一ローターマグネット部外側N極（39）の場合、第二固定部の第二ローターマグネット部の右側が内側N極（42）で、左側が第二ローターマグネット部内側S極（89）になるように逆に揃えて本体に固定し、またこの部分の構造を言い換えると左側が第二ローターマグネット部内側S極（89）と、左側が第一ローターマグネット部外側N極（39）と、右側が第一ローターマグネット部外側S極（90）と、第二ローターマグネット部の右側が内側N極（42）のように左面N右面S極のマグネットが４つ中心軸に対し平行に並べて固定し、図５上の多目的多重モータ（1）断面図のように稼動時には例えば磁力面が下の第二ローター部の第二コイル部（70）内側S極で、反対側が（相対する側）他２つの磁力面の内側N極で、左上内側の磁力面N極が左第一ローターマグネット部外側N極（39）と反発と同時に、上記第二コイル部（70）内側とは反対に左上の磁力面外側S極で、左第二ローターマグネット部内側S極（89）で反発と同時に、もう一方の右上内側の磁力面N極が右第一ローターマグネット部外側S極（90）と引き合いと同時に、右上外側の磁力面Ｓ極が右第二ローターマグネット部の右が内側N極（42）と引き合いと同時に、上記磁力面下の方の第二ローター部の第二コイル部（70）内側右下S極と右第一ローターマグネット部外側S極（90）とが反発と同時に、第二ローター部の第二コイル部（70）外側右下N極と右第二ローターマグネット部内側N極（42）とが反発と同時に、磁力面が下の第二ローター部の第二コイル部（70）内側左下S極と左第一ローターマグネット部外側N極（39）が引き合いと同時に、磁力面が下の第二ローター部の第二コイル部（70）外側左下N極と左第二ローターマグネット部内側S極（89）が引き合い、次に第二ブラシ（19）がコミテータ片（77）から次のコミテータ片（21）に移り、時計周りにコイル部の軸１２０°移動し入れ替わり、同じ様に３回繰り返して１回転を作り稼働するこれら全ての構造と機能を特徴とする多目的多重モータ。
【００５１】
上記の稼動行程を簡単に説明すると、図５の様に任意の電極で第二コイル部（70）の外側上がＳ極で、第二コイル部（70）の内側上がＮ極で、第二コイル部（70）の内側下がＳ極で、第二コイル部（70）の外側下がＮ極で回動し、各第二コイル部（70）が中心軸に対して１２０°移動して上記の位置でコミテータ片が入れ替わることで極性が変わり３工程で1回転つくり、繰り返すことで回転し、電流を逆にすれば極性は入れ替わり逆に回動する。
【００５２】
上記の稼動行程を別表現で説明すると、シングルパワーモードは第一固定部のマグネット部の右が外面S極（90）で、左が第一ローターマグネット部外面N極（39）の場合第二固定部のマグネット部の右が内面N極（42）で、左が第二ローターマグネット部内面S極（89）になるように逆に揃えて本体に固定し、ローターである第二ローター部の第一ローターマグネット部（39・90）同士の下の方のコイル部の軸の内側が例えばS極で、第一固定部のマグネット部の右外面S極（90）と、第一ローターマグネット部（39・90）同士の上の方の２つのコイル部の軸の内側N極で、第一固定部のマグネット部の左外面N極（39）が反発し右回りに移動と同時に、第二ローターマグネット部（42・89）同士の下の方のコイル部の軸の外側がN極で,第二固定部の第二ローターマグネット部の右内面N極（42）と、第二ローターマグネット部（42・89）同士の上の方の２つのコイル部の軸の外側がS極で、第二固定部の第二ローターマグネット部左内面S極（89）が反発し右回りに移動と同時に、第一ローターマグネット部（39・90）同士の下の方のコイル部の軸の内側S極が,第一固定部のマグネット部の左外面N極（39）と、第一ローターマグネット部（39・90）同士の上の方の２つのコイル部の軸の内側がN極で、第一固定部のマグネット部の右外面S極（90）が引き合い右回りにさらに移動と同時に,第二ローターマグネット部（42・89）同士の下の方のコイル部の軸の外側がN極で,第二固定部の第二ローターマグネット部の左内面S極（89）と、第二ローターマグネット部（42・89）同士の上の方の２つのコイル部の軸の外側がS極で,第二固定部の第二ローターマグネット部右内面N極（42）が引き合い右回りに同時移動し、次に第二ブラシ（19）がコミテータ片（77）から次のコミテータ片（21）に移り、上記の最初の第一ローターマグネット部（39・90）同士の下の方の位置にコイル部の磁力面と、左上の方の位置にコイル部の磁力面と、右上の方の位置にコイル部の磁力面と、が時計周りに120°各コイル部位置が入れ替わり同じ様に磁性が変わり３回繰り返して１回転を作り稼働するため通常のモーターよりパワーアップする。
【００５３】
多重モータ（1）内臓ミキサー（2）の構造はミキサー台座（3）にミキサー電源ユニット（16）を内蔵し、そこから伸びる配線が台座（3）から立設した移動蓋用バー（9）の内側を通り、移動開閉蓋（7）がフラットミキサーカップ（6）閉じた位置の電極受け（129・130）に接続される部分と、移動開閉蓋（7）と移動蓋用バー（9）が上下移動可能に契合した部分の移動開閉蓋（7）の電極ピン（131・132）から多重モータ（1）に結線されており、接続時に通電して稼働する構造。
【００５４】
第一歯部（124）は、第一歯用支柱（12）の側面に第一歯（14）を嵌着し、その上部に第一歯用支柱シャフト（55）を嵌着した構造。
【００５５】
第二歯部（125）は、第二歯用支柱（13）の下部側面に第二歯（15）を嵌着し、上部に周設した溝である歯用支柱保持溝（54）と、第二歯用支柱（13）の筒形状の穴である第一歯用支柱シャフト孔（71）を設けた形状。
【００５６】
第二歯アダプター（121）は円盤形状の中央に穴と、そこから伸びる筒状の受けで形成される上歯保持口（123）と、螺子穴（122）を３箇所設けた形状。
【００５７】
フラットミキサーカップ（６）の外周に嵌るサイズのリング形状の内蓋外リング（127）と、その上部で四方から伸びる内蓋支柱（126）の付け根で歯保持内蓋（10）を閉じる際の保持する役目と、上記ミキサーの歯用支柱保持溝（54）を回転可能に歯用支柱保持口（73）で保持する小さいリング形状の内蓋内リング（128）を、上記の四方から伸びる内蓋支柱（126）の先端で保持する形状で、その際の支柱と支柱の間の空間が食材の投入口（120）になる歯保持内蓋（10）。
【００５８】
上記第一歯部（124）の第一歯用支柱シャフト（55）に第二歯部（125）の第一歯用支柱シャフト孔（71）を回転可能に軸着して、突き出た第一歯用支柱シャフト（55）の先端部を多目的多重モータ（１）の第一多重モーター（93）の第一シャフト管（107）に嵌着した部分と、第二歯部（125）の歯用支柱保持溝（54）の上の出っ張り部に第二歯アダプター（121）の上歯保持口（123）に嵌着し、螺子穴（122）と第二多重モーター（94）下部回転セッティングプレート第二コア（62）に螺着した部分で本体に接続される。
【００５９】
上部稼動ミキサー使用例としては、邪魔な刃が取り外し式で手入れも簡単で、またそのまま鍋としても使えることで、食材を軟らかく口当たりの良い料理が提供できる。
【００６０】
多重モータ内臓ミキサーの稼働例として、ミキサーの回転を同方向にしてダブルパワーモード・シングルパワーモード・ダブルパワーモードによりパワーを持たせたり、別々の回転方向で撹拌スピードを上げる効果が得られ、また容器であるフラットミキサーカップ（6）はガラスや金属類はもとより、陶器でも成形しやすい形状で、直接お鍋としても使える物と、プラスチックによるもの全てが可能で、お手入れする際には邪魔な刃は取り外し式でカップの底はフラットなので水洗いも簡単。
【００６１】
図１１の配線図は第一ローターコミテータ片１（20）から第一ローターコイル１（26）と第一ローターコイル２（27）の間に結線する第一ローターコイル１と２の間の配線（32）部分と、第一ローターコミテータ片２（74）から第一ローターコイル２（27）と第一ローターコイル３（28）の間に結線する第一ローターコイル２と３の間の配線（33）部分と、第一ローターコミテータ片３（75）から第一ローターコイル３（28）と第一ローターコイル１（26）の間に結線する第一ローターコイル３と１の間の配線（34）部分と、電源ユニット（16）からくるプラスの配線と結線する第一ブラシ（18）と、マイナスの配線と結線する反対側の第一ブラシ（18）で、筒状の第一結束管（114）の周囲に僅かな隙間（通電しない間隔）を設けて等間隔に第一ローターコミテータ片（20・74・75）を周着固定した第一結束コミテータ管（116）部分を第一ブラシ板バネ（51）力で両サイドから摺動可能に接した部分と、からなる第一多重モータの配線と、第二ローターコミテータ片１（77）から第二ローターコイル１（29）と第二ローターコイル２（30）の間に結線する第二ローターコイル１と２の間の配線（35）部分と、第二ローターコミテータ片２（21）から第二ローターコイル２（30）と第二ローターコイル３（31）の間に結線する第二ローターコイル２と３の間の配線（36）部分と、第二ローターコミテータ片３（78）から第二ローターコイル３（31）と第二ローターコイル１（29）の間に結線する第二ローターコイル３と１の間の配線（37）部分と、電源ユニット（16）からくるプラスの配線と結線する第二ブラシ（19）と、マイナスの配線と結線する反対側の第二ブラシ（19）で、上記第二結束コミテータ管（117）部分を第二ブラシ板バネ（69）力で両サイドから摺動可能に接した部分と、からなる第二多重モータの配線からなる。
【産業上の利用可能性】
【００６２】
本発明に係る多目的多重モータは、大きい物では発動機や機械の部品、小さいものでは
調理器具・文具品に至るまで幅広い動力部品として利用可能性を有する。
【符号の説明】
【００６３】
１多目的多重モータ２上部稼動ミキサー３ミキサー台座４スイッチ５電源コード６フラットミキサーカップ７移動開閉蓋８取っ手９移動蓋用バー１０歯保持内蓋１１台座足１２第一歯用支柱１３第二歯用支柱１４第一歯１５第二歯１６ミキサー電源ユニット１７第二コイル（第二巻線）１８第一接触ヘッド部（第一ブラシ）１９第二接触ヘッド部（第二ブラシ）２０第一ローターコミテータ片１（第一ローター接触金具１）２１第二ローターコミテータ片２（第二ローター接触金具２）２２第一モータ＋電源配線２３第一モータ−電源配線２４第二モータ＋電源配線２５第二モータ−電源配線２６第一ローターコイル１（第一ローター巻線１）２７第一ローターコイル２（第一ローター巻線２）２８第一ローターコイル３（第一ローター巻線３）２９第二ローターコイル１（第二ローター巻線１）３０第二ローターコイル２（第二ローター巻線２）３１第二ローターコイル３（第二ローター巻線３）３２第一コミテータ片１から第一ローターコイル１と２の間の配線３３第一コミテータ片２から第一ローターコイル２と３の間の配線３４第一コミテータ片３から第一ローターコイル３と１の間の配線３５第二コミテータ片１から第二ローターコイル１と２の間の配線３６第二コミテータ片２から第二ローターコイル２と３の間の配線３７第二コミテータ片３から第二ローターコイル３と１の間の配線３８第一ローター用U字ピン３９第一ローターマグネット部外側N極（第一ローターマグネット部外面N極）４０第一コイル部軸４１第二ローター用U字ピン４２第二ローターマグネット部内側N極（第二ローターマグネット部内面N極）４３第二コイル部軸４４ケイ素鋼板製の第一多重モータ軸部プレート（第一多重モータ軸部プレート）４５ケイ素鋼板製の第二多重モータ軸部プレート（第二多重モータ軸部プレート）４６第一コミテータ部４７第二コミテータ部４８中空部４９多重コミテータ部５０第一ブラシ板バネ固定部５１第一ブラシ板バネ５２回転セッティングプレート５３食材５４歯用支柱保持溝５５第一歯用支柱シャフト５６第一コア台座固定口５７第一マグネット部台座固定口５８第二コア台座固定口５９第二マグネット部台座固定口６０回転セッティングプレート第一コア６１回転セッティングプレート第一マグネット部６２回転セッティングプレート第二コア６３回転セッティングプレート第二マグネット部６４第一コア固定プレート口６５第一マグネット部固定プレート口６６第二コア固定プレート口６７第二マグネット部固定プレート口６８第二ブラシ板バネ固定部６９第二ブラシ板バネ７０第二コイル部７１第一歯用支柱シャフト孔７２第一コア固定口７３歯用支柱保持口７４第一ローターコミテータ片２（第一ローター接触金具２）７５第一ローターコミテータ片３（第一ローター接触金具３）７６第一コイル（第一巻線）７７第二ローターコミテータ片１（第二ローター接触金具1）７８第二ローターコミテータ片３（第二ローター接触金具３）７９第一コイル部８０蓋ストッパー８１コンロ８２第一モーターケース８３第二モーターケース８９第二ローターマグネット部内側S極（第二ローターマグネット部内面S極）９０第一ローターマグネット部外側S極（極９０第一ローターマグネット部外面S極）９１シャ���ト孔９２第一モータ孔９３多重第一モータ９４多重第二モータ９５第一モーターケース反し９６第二モーターケース反し９７第一マグネット口９８第二マグネット口９９第二コア固定口100第一マグネット固定口101第二マグネット固定口102第一コミテータ103第二コミテータ104第一モーターケース反し螺子穴付105第二モーターケース反し螺子穴付106第一シャフト107第一シャフト管108第二シャフト管109第二シャフト110第一ブラシ支持部111第二ブラシ支持部112コミテータ部リング113マグネット固定溝114第一結束管115第二結束管116第一結束コミテータ管117第二結束コミテータ管118第２コミテータ部リング119コミテータ空間支柱120投入口121第二歯アダプター122螺子穴123上歯保持口124第一歯部125第二歯部126内蓋支柱127内蓋外リング128内蓋内リング129電極＋受け130電極−受け131電極＋ピン132電極−ピン133コイル溝134ゴム製ストッパー135螺子136ジャンプコイル137内側コイル溝138外側コイル溝139第二多重モータ軸部プレート内外保持部140第一ローターマグネット部内側N極（第一ローターマグネット部内面N極）141第一ローターマグネット部内側S極（第一ローターマグネット部内面S極）142第二ローターマグネット部外側N極（第二ローターマグネット部外面N極）143第二ローターマグネット部外側S極（第二ローターマグネット部外面S極）144多重ベアリング145多重ベアリングボール（転動体）146多重ベアリング1層（1層内輪）147多重ベアリング２層（２層外輪）148多重ベアリング3層（3層外輪）149多重ベアリング4層（4層外輪）150回転セッティングプレート口受け部151多重ベアリングボール溝（軌道輪）152ローター部軸受け153固定部口受け
A多重モータ内臓ミキサーの断面図B多重モーターのコア断面図一C多重モータのコア断面図二D多重モータの断面図E歯保持内蓋断面図一F歯保持内蓋断面図二G第二歯アダプター断面図Ｈ第一・二歯部の断面図Ｉ多重モータの縦断面図Ｊ多重ベアリングの断面図Ｋ回転セッティングプレート口受け部の断面図Ｌ第二歯部の断面図Ｍ第一歯部の断面図Ｎ多重モータの第一・二コミテータ部位置断面図
【要約】      （修正有）【課題】便利でパワフルな発動機や工具・機械のモータ部品を提供する。【解決手段】４種類の稼働モードとて、シングル回転モード・ダブル回転モード・トリプルパワーモード・シングルパワーモードがあり、そのシングルパワーモードは、第一モーターケースの外側に磁石が格納されている面を露出させた部分と、第二コイル部の内外両側にコイル溝を設ける事でできた内側磁力面部分とで稼働する。さらに、外側に配置された第二多重モータで稼働する。さらに、第二多重モータを内装した第三多重モータ、さらに、これらを内装した第四多重モータとで稼働する。また、これらを回転可能に保持するための多重ベアリングを備える。【選択図】図１６【図１】
0006052926.tif 000002
【図２】
0006052926.tif 000003
【図３】
0006052926.tif 000004
【図４】
0006052926.tif 000005
【図５】
0006052926.tif 000006
【図６】
0006052926.tif 000007
【図７】
0006052926.tif 000008
【図８】
0006052926.tif 000009
【図９】
0006052926.tif 000010
【図１０】
0006052926.tif 000011
【図１１】
0006052926.tif 000012
【図１２】
0006052926.tif 000013
【図１３】
0006052926.tif 000014
【図１４】
0006052926.tif 000015
【図１５】
0006052926.tif 000016
【図１６】
0006052926.tif 000017
【図１７】
0006052926.tif 000018